(57)【特許請求の範囲】
【請求項１】
キャップによりボトルの首に付与するためのボトル付属品であって、
（ａ）ボトル首内に固定して受け入れられる寸法をしたハウジング（１０）；及び
（ｂ）前記ハウジングの上端に係合する環状リブ（４２）を含む連結円盤（４０）であって、前記連結円盤（４０）と前記ハウジング（１０）がボトルの首（４）に付与されるときにキャップ（６）内で支持されることを可能にするようにキャップ（６）内に受け入れ可能な連結円盤（４０）を含むものであって、
ボトルの首（４）内に挿入されるとき、前記ハウジングの一部分が変形し、それによって前記ハウジング（１０）から前記環状リブ（４２）を脱係合し、前記ハウジング（１０）からの前記連結円盤（４０）の解放を可能にし、キャップ（６）がボトルの首（４）から除去されるとき、前記連結円盤（４０）が、前記ハウジングがボトルのネック（４）内に残る間に除去されたキャップ（６）のためのライナーとしての役目をするように前記キャップ（６）に取り付けられたままであることを特徴とするボトル付属品。
【請求項２】
前記ハウジング（１０）が、前記環状リブ（４２）内に形成された環状ビード（４２ａ）を係合するための半径方向に延びる環状溝（１６ｄ）を形成された環状側壁（１６ａ）を含むことを特徴とする請求項１に記載のボトル付属品。
【請求項３】
前記ハウジング（１０）がさらに、ボトル内の内容物が前記飲み口（８）を通して注ぎ出されるときにボトル中への空気の戻りのための空気戻り通路（１５）を含むことを特徴とする請求項１に記載のボトル付属品。
【発明の詳細な説明】
【技術分野】
【０００１】
本発明は、従来の蓋締機を用いることによってキャップによりボトルに付与するためのボトル付属品であって、ボトル内に保持されたボトル付属品によりキャップがボトルから後で取り外されることを可能にするボトル付属品に関する。本発明は、引っ込められる飲み口装置をボトルに付与するために特に有用であり、従ってかかる付与に対して以下に記載される。
【背景技術】
【０００２】
本発明は、本出願人の先行する米国特許第６０２６９９４号及び第６９７６６１０号に開示された引っ込められる飲み口装置で特に有用であり、それらの内容は参考としてここに組み込まれる。
【０００３】
本出願人の先行する米国特許第６０２６９９４号は、キャップにより閉じられるボトルの首に付与するための引っ込められる飲み口装置を記載する。この装置は、ボトルの首内に固定して受け入れ可能な套管状ハウジング、及びこのハウジングがボトル首内に固定されかつボトル首がキャップにより閉じられるとき、ハウジング内で引っ込められた位置からボトルの内容物を注ぐためにハウジング及びボトル首から外向きに突出する延びた位置まで可動な飲み口を含む。キャップを除去することで飲み口を自動的に延ばさせるために、この装置はさらに、飲み口をその延びた位置に偏位させるばねを含む。かかるばねは省略されることができ、それにより飲み口はキャップの除去と一緒にまたは除去後にその延びた位置に手で動かされることができるであろう。ボトルの液体内容物が飲み口を通して注ぎ出されるときに空気をボトル中に戻すために空気戻り通路が設けられる。
【０００４】
本出願人の先行する米国特許第６９７６６１０号は、装置を構造的によりコンパクトにしかつ操作をより信頼性あるものにするだけでなく、連結円盤を含むことにより、装置を存在するボトル蓋締機に順応させ、従ってそれらを引っ込められる飲み口装置を組み込んでいるキャップを付与するために使用可能にするためにかかる高価な機械に実質的に変化を要求しない引っ込められる飲み口装置の構造の改善を記載する。
【０００５】
本出願人の先行する米国特許第６９７６６１０号に記載された構造に存在することが見い出された欠点は、キャップ及び飲み口装置がボトルに付与された後に、連結円盤を持つキャップの除去がボトルから飲み口ハウジングを引っ張り出す傾向があるかもしれないという可能性である。
【発明の概要】
【発明が解決しようとする課題】
【０００６】
本発明の目的は、キャップによりボトルの首に付与するためのボトル付属品を提供することであり、その装置は、キャップがボトル首から連結円盤と一緒に除去されるときに連結円盤からのハウジングの解放をより確実にするものである。
【課題を解決するための手段】
【０００７】
本発明の広い態様によれば、キャップによりボトルの首に付与するためのボトル付属品であって、ボトル首内に固定して受け入れられる寸法をしたハウジング；及び前記ハウジングの上端に取り付けられかつキャップ内に受け入れ可能な連結円盤であって、連結円盤とハウジングがキャップによりボトルの首に付与されることを可能にするものを含むものにおいて、前記ハウジングの上端が、ハウジングの外周縁から内向きに間隔を置かれかつハウジングの軸方向に延びる環状溝を形成されていること、及び前記連結円盤が、前記キャップ内に固定して受け入れられる寸法をし、キャップのためのライナーとしての役目をする環状周囲表面を持つ下面を含むことを特徴とし、さらに連結円盤の前記下面がまた、連結円盤の周囲から内向きに間隔を置かれた環状リブを含み、前記環状リブが、ハウジングの軸方向に延び、かつ連結円盤がキャップによりボトル首へのハウジングの取り付けを容易にしかつボトル首からのキャップの除去によりハウジングから解放するように前記ハウジングの上端の前記環状溝内に解放可能に保持される寸法をしており、それによりハウジングがボトルネック内に残る間に連結円盤が除去されたキャップのためのライナーとしての役目もすることを可能にすることを特徴とするボトル付属品が提供される。
【０００８】
以下に述べられる本発明の好適な実施態様によれば、ハウジングの上端の環状溝は、外部環状側壁、及び外部環状側壁から内向きに間隔を置かれた内部環状側壁を含み、外部環状側壁は、半径方向に延びる環状溝を形成された内表面を持ち、連結円盤の下面の環状リブの外表面は、環状溝に受け入れ可能な半径方向に延びる環状ビードを持つ。ハウジングの上端は、軸方向に延びる環状凹所を形成された上部部分、及びキャップを受け入れるためのねじ山を形成された下にある部分を含む。ハウジングの上部部分はさらに、ハウジングの上部と下にある部分の間に弾性接合部を含む。
【０００９】
本発明の二つの実施態様が例示目的のために以下に述べられる。一つの述べられた実施態様では、ハウジングの上部部分は、ハウジングの下にある部分の外径より小さい外径を持ち、弾性接合部の上部部分の半径方向たわみを可能にするための環状空間を規定し、それによりボトル首内へのハウジングの挿入後のボトル首からのキャップの除去によりハウジングからの連結円盤の解放を容易にする。この実施態様では、飲み口ハウジングは、飲み口ハウジングがボトル首内に挿入されるときに上部部分の外端がボトル首の外端と実質的に同一平面であるような寸法をしている。
【００１０】
第二の述べられた好適な実施態様では、ハウジングの上部部分は、ハウジングの下にある部分の外径より大きい外径を持ち、ハウジングは、下にある部分から内向きに軸方向に延びる環状凹所を含み、下にある部分の内向き半径方向たわみ、それにより上部部分の外向き半径方向たわみを可能にする環状空間を弾性接合部に規定する。これは、ボトル首内へのハウジングの挿入後のボトル首からのキャップの除去によりハウジングからの連結円盤の解放を容易にする。この実施態様では、飲み口ハウジングは、飲み口ハウジングがボトル首内に挿入されるときに上部部分の外端がボトル首の外端から外向きに突出するような寸法をしている。
【００１１】
上に示されたように、本発明は、ボトル首に付与される引っ込められる飲み口装置のために特に有用であり、従ってその用途に関して以下に説明される。
【００１２】
従って、本発明のより特別な態様によれば、キャップによりボトルの首に付与するための引っ込められる飲み口装置であって、ボトル首内に固定して受け入れられるような寸法をした飲み口ハウジング；ハウジングがボトル首内に固定されかつキャップがボトル首の上に付与されるときの飲み口ハウジング内の引っ込んだ位置からボトルの内容物を注ぎ出すための飲み口ハウジング及びボトル首から外向きに突出する延びた位置まで前記飲み口ハウジング内で可動な飲み口；及びキャップによりボトルの首に付与されるように前記ハウジングの上端に取り付けられた連結円盤を含むものにおいて、前記飲み口ハウジングの上端が、飲み口ハウジングの外周縁から内向きに間隔を置かれかつハウジングの軸方向に延びる環状溝を形成されていること、及び前記連結円盤が、前記キャップ内に固定して受け入れられる寸法をし、キャップのためのライナーとしての役目をする環状周囲表面を持つ下面を含むことを特徴とし、さらに連結円盤の前記下面がまた、連結円盤の周囲から内向きに間隔を置かれた環状リブを含み、前記環状リブが、飲み口ハウジングから軸方向に延び、かつ連結円盤がキャップによりボトル首への飲み口ハウジングの取り付けを容易にしかつボトル首からのキャップの除去により飲み口ハウジングから解放するように前記飲み口ハウジングの上端の前記環状溝内に解放可能に保持される寸法をしており、それにより飲み口ハウジング及び飲み口がボトル首内に残る間に連結円盤が除去されたキャップのためのライナーとしての役目もすることを可能にすることを特徴とする引っ込められる飲み口装置が提供される。
【００１３】
本発明のさらなる特徴及び利点は以下の説明から明らかとなるであろう。
【図面の簡単な説明】
【００１４】
【図１】図１は、ボトル首内に受け入れられる本発明により構成された引っ込められる飲み口装置の一つの形を示す。
【００１５】
【図２】図２は、キャップの除去後でかつボトルから内容物を注ぎ出すための突出した位置の飲み口を持つ図１の引っ込められる飲み口装置を示す。
【００１６】
【図３】図３は、連結円盤がキャップのライナーとしての役目をする連結円盤を持つキャップがボトル首から外されるときに連結円盤からのハウジングの解放をより良好に保証するために連結円盤が飲み口装置に取り付けられる態様をより明らかに示す、図１の一部の拡大断片図である。
【００１７】
【図４】図４は、本発明の第二実施態様を示す図１の図に対応する図である。
【００１８】
【図５】図５は、本発明の第二実施態様を示す図３の図に対応する図である。
【００１９】
前述の図面、及び以下の説明は、主として現在好適な実施態様であると考えられるものを含む本発明の概念的態様及びそれらの可能な実施態様を理解することを容易にする目的のために提供されることは理解されるべきである。明解さ及び簡潔さのために、当業者が通常の技能及び設計を用いて、説明された発明を理解及び実施することを可能にするために必要なものより多い詳細を提供する試みはなされていない。説明された実施態様は例示目的だけのためにあること、及び本発明はここに説明された以外の形及び用途で実施されることができることは、さらに理解されるべきである。
【発明を実施するための形態】
【００２０】
図１−３の実施態様
図１−３は、キャップ６（図２）により閉じられた首４を形成された２で概略的に示されたボトルに付与された本出願人の先行する米国特許第６９７６６１０号に記載されたタイプの引っ込められる飲み口装置を示す。図１及び２にＢで概括的に示された飲み口装置は、ボトル２の首４内に固定して受け入れられ、従ってそれは繰り返して付与されかつ除去される必要がない。従って、キャップ６が除去されるときはいつでも、装置Ｂ内の飲み口は、ボトル内容物を注ぎ出すために使用されることを可能にする延びた位置（図２）に自動的に動き、キャップが再付与されるときはいつでも、それはその引っ込んだ位置（図１）に戻すように飲み口を自動的に動かす。
【００２１】
飲み口装置Ｂは、ボトル首４内に固定して受け入れられる１０で概括的に示されたハウジング；ハウジングを通して延びかつそこでボトルから内容物を注ぐのを容易にするためにボトル首から外向きに突出する延びた位置（図２）まで、及びキャップ６により閉じられたときにボトル首内に配置された引っ込んだ位置（図１）まで移動可動な２０で概括的に示された飲み口；及び飲み口２０をその延びた位置に通常促すが、ボトル首４へのキャップの付与により飲み口をその引っ込んだ位置に自動的に動かすように圧縮可能な３０（図２）で概括的に示されたコイル状のばねを含む。
【００２２】
ハウジング１０は、飲み口装置がボトル首に付与されるときにボトル２の内部と連通する開口１３を形成された挿入体１２をその下端に持つ円筒状部分１１を含む。
【００２３】
飲み口装置２０は二つのはめ込み部分２１，２２を含む。外部はめ込み部分２１の外端２１ａは、ボトルからグラスまたは他の容器中への液体の排出を容易にするために先細り断面を有する。はめ込み部分２１の反対端は、その内表面上に、ばね３０のための座部としての役目をする環状肩２１ｂを形成され、はめ込み部分２１の外向き移動を制限するために、はめ込み部分２２の内表面内の対応する肩と係合可能な外部環状肩２１ｃを形成されている。
【００２４】
はめ込み部分２２は、はめ込み部分２２の突出位置を制限するために、その反対端に、ハウジング円筒状部分１１の対応する端部の内向き先細り表面１１ａと共働可能な外向き末広がり表面２２ａを形成されている。
【００２５】
ハウジング１０の円筒状部分１１は、二つの通路（すなわち、ボトル２から注がれる液体（または他の注ぎ可能な物質）のための第一通路１４；及びその内容物が注がれるときにボトルの内部中へ空気を戻すための空気通路１５）を形成されている。
【００２６】
従って、キャップ６が除去されるたびに、飲み口２０は、ばね３０によりその延びた位置に自動的に動かされ、空気が通路１５を介してボトルの内部中に戻されながら、飲み口の通路１４を介してボトルの内容物を注ぎ出すために飲み口を使用することを可能にすることがわかるであろう。キャップ６がボトル首４に再付与されるとき、飲み口２０はキャップによりその引っ込んだ位置に自動的に動かされ、それはばね３０の圧縮により可能にされる。従って、キャップが飲み口装置を含むボトルに再付与されるたびに、従来の飲み口構造のように飲み口装置を除去する必要がない。
【００２７】
図１−３に示された構造では、この装置はさらに、４０で概括的に示された連結円盤を含む。円盤４０は実際には二つの機能を果たす：その主機能は、引っ込められる飲み口装置をキャップ６に連結し、かつこの装置をキャップ内に保持するための連結器としての役目をし、それにより、引っ込められる飲み口装置を持つキャップを、存在するボトル充填及び蓋締機により取り扱われるのを可能にする。円盤４０はまた、ボトルに取り付けられたときにキャップのためのライナーとしての役目をし、それは、図１に示されたように、キャップが引っ込んだ位置の飲み口２０を持って付与されるときにボトルを封止する。
【００２８】
本発明によれば、飲み口ハウジング１０の上端、及び連結円盤４０の下表面は、連結円盤４０を、飲み口ハウジング１０と一緒に、通常の蓋締機を用いてキャップに付与されることを可能にする態様で構成され、一方同時にキャップがボトルからはずされるときに連結円盤からの飲み口ハウジングの解放をより確実にし、従って連結円盤は、キャップのためのライナーとしての役目をするためにキャップ内に保持されるであろうし、かつ飲み口ハウジングは、キャップが除去されるときにそこからの内容物の注ぎをその後に容易にするためにボトル首内に保持されるであろう。
【００２９】
従って、特に図３の拡大された断片図に示されるように、ハウジング１０の円筒１１の上部は、環状外部側壁１６ａ、内部環状側壁１６ｂ、及び底壁１６ｃにより規定される環状溝または凹所１６を一体的に形成されている。外部環状側壁１６ａの内表面は、半径方向に延びる溝１６ｄを形成されている。
【００３０】
連結円盤４０の内面は、環状溝１６内に受け入れ可能でありかつ溝の幅より小さい厚さを持つ環状壁またはリブ４２を形成されている。環状リブ４２の外表面は、ハウジング円筒１１の上端の外部環状壁１６ａの環状溝１６ｄ内に受け入れ可能である、半径方向に延びる拡大された丸いビード形成体４２ａを形成されている。
【００３１】
ハウジング円筒１１の上端はさらに、側壁１６ａの下にある部分１７を形成されかつボトルキャップ（図２の６）を受けるためのねじ山１７ａを形成されている。ハウジングの部分１７は、深い環状凹所１８によりハウジング円筒部分１１の上端から半径方向に間隔を置かれている。好ましくは、部分１７は、そのねじ付き部１７ａにおいて、凹所１６の底壁１６ｃの厚さより大きい厚さを持ち、従って弾性接合部１７ｂは、上部ハウジング部分の底壁１６ｃと、下にある部分１７との間に形成される。
【００３２】
図１−３の実施態様では、ハウジングの環状壁１６ａの外表面は、以下に述べるように、ハウジングの壁１６ａの外向き半径方向たわみを可能にするために、それとボトル首４の間に環状空間１９を規定するために外径を減少される。
【００３３】
従って、図１−３の実施態様は次のように作用する：まず、飲み口装置２０を含む飲み口ハウジング１０が、連結円盤の環状リブ４２をハウジングの凹所１６中に単にはめ込むことにより連結円盤４０に取り付けられる。かかる場合に、壁１６ａの環状溝１６ｄ内に受け入れられた壁４２のリブ４２ａは、連結円盤に取り付けられた飲み口装置を固定して、しかし解放可能に保持する。従って、連結円盤４０は、それに解放可能に取り付けられた飲み口装置と共に、連結円盤及び飲み口装置をキャップに蓋締めするために従来の蓋締機で使用されることができる。
【００３４】
キャップ、及びそれに取り付けられた飲み口装置がボトル首４中に挿入されるとき、ハウジングの上端の力強い挿入は、上端を外向きに曲げさせ、これは、ハウジングの上部部分とその下にある部分の間の弾性接合部１７ｂにより可能にされる。外部環状壁１６ａのこの外向き曲がりは、空間１９により可能にされ、かつ環状壁１６ａの上端内の環状溝１６ｄを連結円盤４０の環状リブ４２内のビード４２ａから離れるように動かす。
【００３５】
従って、連結円盤４０がキャップ内に受け入れられたとき、連結円盤は固定して、しかし解放可能に飲み口装置に取り付けられる。しかし、飲み口装置及びキャップがボトル首中に挿入されるとき、連結円盤は、溝１６ｄからのリブ４２ａの引っ込みにより飲み口装置から解放される。従って、キャップがボトルから除去された後はいつでも、連結円盤４０はキャップ内に保持され、そのライナーとしての役目をするであろうし、一方飲み口装置はボトル首内に固定されたまま残るであろう。
【００３６】
従って、図１−３に示された構造は、飲み口装置が連結円盤４０に解放可能に取り付けられることを可能にし、従って両者は従来の蓋締機を用いてボトルに付与されることができ、その後キャップがボトルから除去されるときはいつでも、連結円盤はキャップ内に保持され、そのライナーとしての役目をするであろうし、一方飲み口装置はボトル内に固定されたまま残り、自動的にその延びた位置に動くであろう。
【００３７】
図４及び５の実施態様
図４及び５は、図１−３の実施態様と同様の実施態様を示すが、以下の変更がある。
【００３８】
上述のように、図１−３の実施態様では、環状壁１６ａを形成されたハウジングの上部部分は、ねじ山１７ａを形成された下にある部分１７の外径より小さい外径を持ち、キャップと飲み口装置が力強くボトル首に付与されるときに飲み口装置を連結円盤４０から解放するために環状壁１６ａのたわみを可能にするための空間１９を規定する。かかる装置では、ハウジング１０は、環状壁１６ａを含むその上部部分の外端がボトル首の外端と実質的に同一平面であり、従って完全な飲み口装置がボトル首と同一平面で固定されるような寸法をしている。
【００３９】
図４及び５は、図において１１６ａで示されている環状壁を含むハウジングの上部部分が、ねじ山１１７ａを形成された下にある部分１１７より大きい外径を持つ変更を示す。かかる構成では、ハウジングは、飲み口装置がそこに挿入されるときにその上部部分の外端がボトル首の外端から外向きに突出するような寸法をしている。この場合、上部ハウジング部分のたわみは、それとボトルキャップ（図２の６）の間の空間により可能にされる。なぜなら上部ハウジング部分の環状壁１１６ａはボトル首により係合されておらず、それは、下にあるハウジング部分のねじ山１１７ａのみと係合するからである。
【００４０】
全ての他の点では、図４及び５に示された引っ込められる飲み口装置は、図１−３の実施態様に関して上述されたものと実質的に同じ態様で構成されかつ作用する。
【００４１】
本発明は、引っ込められる飲み口装置の特別な構造を含む二つの好適実施態様に関して述べられたが、本発明は、他の飲み口装置に関して、また投与装置、滴下防止装置等のボトル首内に取り付けられる他のボトル付属品に関して、使用されることができることは認められるであろう。本発明の多くの他の変更、修正及び適用は明らかであるだろう。
【図１】
0005876035.tif 000002
【図２】
0005876035.tif 000003
【図３】
0005876035.tif 000004
【図４】
0005876035.tif 000005
【図５】
0005876035.tif 000006